(57)【特許請求の範囲】
【請求項１】
空調用空気の流路および吹き出し開口の少なくとも一部を構成する筒状のリテーナと、
複数のフィンを持ち、該リテーナの内部に取り付けられ、該リテーナの空気流路下流側端部に配置されるレジスタ出位置と、該レジスタ出位置よりも空気流路上流側に配置されるレジスタ入位置と、の間を変位し、該空調用空気の流通方向を調整するレジスタ部と、
枠状をなし、該リテーナに取り付けられ、少なくとも一部が該リテーナよりも空気流路下流側に突出する主サポータ出位置と、該レジスタ出位置よりも空気流路上流側に配置される主サポータ入位置と、の間を変位する主サポータと、
該リテーナに取り付けられ、少なくとも一部が該レジスタ部よりも空気流路下流側で該リテーナの内部に突出するプロテクタ出位置と、該リテーナの内部への突出量が該プロテクタ出位置における突出量に比べて小さくなるプロテクタ入位置と、の間を変位するプロテクタと、
該主サポータの該主サポータ入位置から該主サポータ出位置への変位に連動して、該レジスタ部を該レジスタ出位置から該レジスタ入位置に変位させる第１リンクと、
該主サポータの該主サポータ入位置から該主サポータ出位置への変位に連動して、該プロテクタを該プロテクタ入位置から該プロテクタ出位置に変位させる第２リンクと、を持ち、
該主サポータ出位置においては、該主サポータの枠内壁と該リテーナの底壁の一部とが該レジスタ部の空気流路下流側にホルダ部を形成し、該ホルダ部と該レジスタ部との間に該プロテクタが介在することを特徴とするレジスタ一体型容器ホルダ装置。
【請求項２】
前記主サポータは、前記リテーナに対して回動可能に取り付けられ、前記主サポータ入位置において前記空調用空気の吹き出し開口の一部を構成する請求項１に記載のレジスタ一体型容器ホルダ装置。
【請求項３】
前記リテーナに取り付けられ、少なくとも一部が前記リテーナよりも空気流路下流側に突出する副サポータ出位置と、該副サポータ出位置よりも空気流路上流側に配置される副サポータ入位置と、の間を変位する副サポータを持ち、
該副サポータは、前記主サポータの前記主サポータ入位置から前記主サポータ出位置への変位に連動して該副サポータ入位置から該副サポータ出位置に変位して、前記ホルダ部の一部を形成する請求項１または請求項２に記載のレジスタ一体型容器ホルダ装置。
【発明の詳細な説明】
【技術分野】
【０００１】
本発明は、レジスタに一体化された容器ホルダ装置に関する。
【背景技術】
【０００２】
容器ホルダ装置は、ペットボトルや缶、カップなどの容器を保持するための装置である。一方、レジスタは、空調装置に接続されて空調用空気の流通方向を調整するための装置である。近年、容器ホルダ装置をレジスタに一体化する技術が提案されている（例えば、特許文献１〜２参照）。
【０００３】
容器ホルダ装置をレジスタに一体化することで、容器および容器に収容されている飲料等を、空調用空気によって冷却あるいは加温することができる。また車両用のレジスタは、座席の前方や側方等、乗員にとって手を伸ばし易い位置に配設するのが一般的である。このため、容器ホルダ装置をレジスタに一体化すれば、乗員が容器を容易に手に取ることができる。以下、レジスタに一体化された容器ホルダ装置をレジスタ一体型容器ホルダ装置と呼ぶ。
【０００４】
特許文献１には、レジスタを構成する部分（以下、レジスタ部と呼ぶ）と容器ホルダ装置を構成する部分（以下、ホルダ部と呼ぶ）をが一体化されてなるレジスタ一体型容器ホルダ装置が紹介されている。このレジスタ一体型容器ホルダ装置におけるホルダ部は、レジスタ部に対して枢支され、容器を保持する際には、レジスタ部の空気流路下流側に展開される。このため、このレジスタ一体型容器ホルダ装置を車室などの狭い空間に配設すると、ホルダ部がレジスタ部の空気流路下流側に大きく出っ張って乗員の動線に干渉する問題があった。
【０００５】
特許文献２に紹介されているレジスタ一体型容器ホルダ装置におけるレジスタ部は、リテーナに対してスライド可能に取り付けられている。ホルダ部は、リテーナに対して回動する開口枠を持つ。ホルダ部に容器を保持する際には、開口枠が回動してリテーナよりも空気流路下流側に突出し、かつ、レジスタ部がリテーナの空気流路上流側にスライドしてリテーナの空気流路下流側に収容空間が形成される。容器は、開口枠の内部に挿入されるとともに収容空間に一部入り込むことで、ホルダ部に保持される。換言すると、特許文献２に紹介されているレジスタ一体型容器ホルダ装置は、レジスタ部をリテーナの空気流路上流側にスライドさせることで、リテーナの空気流路下流側の部分をホルダ部の一部として利用している。このため、特許文献２に紹介されているレジスタ一体型容器ホルダ装置は、特許文献１のレジスタ一体型容器ホルダ装置に比べて、ホルダ部の突出量が少なくなる。したがって、特許文献２に紹介されているレジスタ一体型容器ホルダ装置は、車室に配設した場合にも乗員の動線に干渉し難い。
【０００６】
ところで、特許文献１〜２に紹介されているレジスタ一体型容器ホルダ装置では、レジスタ部の空気流路下流側に設けられたホルダ部によって容器を保持している。したがって、容器の挿入角度によっては、容器がレジスタ部に当接する場合がある。この場合、容器がレジスタ部のフィンを押圧し、フィンの角度が変わって、空調用空気の流通方向が意図した方向と異なる方向に調整される可能性がある。レジスタ部のスライド量を大きくすると、容器とレジスタ部との当接を避けることができると考えられる。しかしこの場合には、レジスタ一体型容器ホルダ装置の大きさが大きくなるため、レジスタ一体型容器ホルダ装置を車室などの狭い空間に配設し難くなる問題がある。
【特許文献１】特開平７−１９５９３７号公報
【特許文献２】特開２００７−３０８４０号公報
【発明の開示】
【発明が解決しようとする課題】
【０００７】
本発明は上記事情に鑑みて成されたものであり、容器とレジスタ部との当接を抑制し、かつ、狭い空間に配設できるレジスタ一体型容器ホルダ装置を提供することを目的とする。
【課題を解決するための手段】
【０００８】
上記課題を解決する本発明のレジスタ一体型容器ホルダ装置は、空調用空気の流路および吹き出し開口の少なくとも一部を構成する筒状のリテーナ１と、複数のフィンを持ち、リテーナ１の内部に取り付けられ、リテーナ１の空気流路下流側端部に配置されるレジスタ出位置と、レジスタ出位置よりも空気流路上流側に配置されるレジスタ入位置と、の間を変位し、空調用空気の流通方向を調整するレジスタ部２と、枠状をなし、リテーナ１に取り付けられ、少なくとも一部がリテーナ１よりも空気流路下流側に突出する主サポータ出位置と、レジスタ出位置よりも空気流路上流側に配置される主サポータ入位置と、の間を変位する主サポータ３と、リテーナ１に取り付けられ、少なくとも一部がレジスタ部２よりも空気流路下流側でリテーナ１の内部に突出するプロテクタ出位置と、リテーナ１の内部への突出量がプロテクタ出位置における突出量に比べて小さくなるプロテクタ入位置と、の間を変位するプロテクタ４と、主サポータ３の主サポータ入位置から主サポータ出位置への変位に連動して、レジスタ部２をレジスタ出位置からレジスタ入位置に変位させる第１リンク６と、主サポータ３の主サポータ入位置から主サポータ出位置への変位に連動して、プロテクタ４をプロテクタ入位置からプロテクタ出位置に変位させる第２リンク７と、を持ち、主サポータ出位置においては、主サポータ３の枠内壁３０ａとリテーナ１の底壁１００の一部とがレジスタ部２の空気流路下流側にホルダ部を形成し、ホルダ部とレジスタ部２との間にプロテクタ４が介在することを特徴とする。
【０００９】
本発明のレジスタ一体型容器ホルダ装置は、下記の構成（１）〜（２）の一方を備えるのが好ましい。下記の構成（１）〜（２）の両方を備えるのがより好ましい。
（１）上記主サポータ３は、上記リテーナ１に対して回動可能に取り付けられ、上記主サポータ入位置において上記空調用空気の吹き出し開口の一部を構成する。
（２）上記リテーナ１に取り付けられ、少なくとも一部が上記リテーナ１よりも空気流路下流側に突出する副サポータ出位置と、副サポータ出位置よりも空気流路上流側に配置される副サポータ入位置と、の間を変位する副サポータ５を持ち、副サポータ５は、上記主サポータ３の上記主サポータ入位置から上記主サポータ出位置への変位に連動して副サポータ入位置から副サポータ出位置に変位して、上記ホルダ部の一部を形成する。
【発明の効果】
【００１０】
本発明のレジスタ一体型容器ホルダ装置は、主サポータを主サポータ出位置に変位させたとき（すなわち、容器を保持するとき）には、レジスタ部がリテーナの内部を空気流路下流側から空気流路上流側に変位する。そして、リテーナの底壁のなかでレジスタ部よりも空気流路下流側に位置する部分と、主サポータの枠内壁とで、容器を保持するホルダ部を形成する。このため、ホルダ部をリテーナ外部に大きく突出させなくても容器を保持できる。
【００１１】
また、主サポータを主サポータ出位置に変位させて容器を保持する際には、レジスタ部とホルダ部との間にプロテクタが介在するため、レジスタ部を空気流路上流側に大きく変位させなくても、容器とレジスタ部との当接を抑制できる。以下、本明細書において、レジスタ一体型容器ホルダ装置の主サポータが主サポータ出位置に変位している状態を、ホルダ使用状態と呼ぶ。レジスタ一体型容器ホルダ装置の主サポータが主サポータ入位置に移動している状態を、ホルダ格納状態と呼ぶ。
【００１２】
本発明のレジスタ一体型容器ホルダ装置が上記（１）を備える場合には、ホルダ格納状態におけるレジスタ一体型容器ホルダ装置の外形を小さくし、かつ、ホルダ使用状態におけるホルダ部の大きさを大きくできる。よって、上記（１）を備えるレジスタ一体型容器ホルダ装置は、狭い空間に配設でき、かつ、容器を安定に保持できる。
【００１３】
上記（２）を備える本発明のレジスタ一体型容器ホルダ装置は、副サポータとの存在によって、容器をさらに安定に保持できる。また、副サポータはホルダ格納状態において空気流路上流側に変位するため、ホルダ格納状態におけるレジスタ一体型容器ホルダ装置の外形を小さくできる。よって、上記（２）を備えるレジスタ一体型容器ホルダ装置は、狭い空間に配設でき、かつ、容器を安定に保持できる。
【発明を実施するための最良の形態】
【００１４】
以下、本発明のレジスタ一体型容器ホルダ装置を図面を基に説明する。
【００１５】
（実施例）
実施例のレジスタ一体型容器ホルダ装置は、自動車のインストルメントパネルに配設される。実施例のレジスタ一体型容器ホルダ装置は上記（１）〜（２）を備える。実施例のレジスタ一体型容器ホルダ装置を模式的に表す斜視図を図１〜図２に示す。実施例のレジスタ一体型容器ホルダ装置の動作を説明する説明図を図３〜図６に示す。なお、図１および図３は、ホルダ格納状態における実施例のレジスタ一体型容器ホルダ装置を表す。図２、図４および図５は、ホルダ使用状態における実施例のレジスタ一体型容器ホルダ装置を表す。図６は、ホルダ使用状態とホルダ格納状態との間の状態における実施例のレジスタ一体型容器ホルダ装置を表す。以下、本実施例において上、下、左、右、空気流路上流側、空気流路下流側とは、図１に示す上、下、左、右、空気流路上流側、空気流路下流側を指す。さらに、本実施例において、時計回り、反時計回りとは、図３中の時計回り、反時計回りを指す。
【００１６】
図１〜図２に示すように、実施例のレジスタ一体型容器ホルダ装置は、リテーナ１と、レジスタ部２と、主サポータ３と、プロテクタ４と、副サポータ５と、第１リンク６と、第２リンク７と、主サポータ付勢手段（図略）と、プロテクタ付勢手段（図略）と、副サポータ付勢手段（図略）と、主サポータロック手段８とを持つ。
【００１７】
リテーナ１は、リテーナ本体１０とベゼル１１とを持つ。リテーナ本体１０は略角筒状をなす。ベゼル１１は、額縁状をなし、リテーナ本体１０の空気流路下流側端部に一体化されている。リテーナ本体１０の空気流路上流側端部は、図略の空調装置に接続される。実施例のレジスタ一体型容器ホルダ装置においては、ベゼル１１が吹き出し開口の一部を構成する。図３に示すように、リテーナ１は、空気流路上流側下方から空気流路下流側上方に向けて傾斜している。吹き出し開口を含む平面は、リテーナ１が延びる方向に対して鋭角に交叉している。したがって、リテーナ１の底壁１００のなかで空気流路下流側の部分は、リテーナ１の上壁１０１よりも空気流路下流側に突出している。この突出した部分をホルダ底壁部１０２と呼ぶ。リテーナ１の底壁１００のなかでホルダ底壁部１０２よりも空気流路上流側の部分を一般底壁部１０３と呼ぶ。ホルダ底壁部１０２は一般底壁部１０３よりも薄肉であり、一般底壁部１０３とホルダ底壁部１０２との境界には段差が形成されている。
【００１８】
図３に示すように、レジスタ部２は、レジスタ用リテーナ２０と、縦フィン群２１と、横フィン群２２と、操作ノブ２３とを持つ。レジスタ用リテーナ２０は、リテーナ１よりも短い角筒状をなし、リテーナ１と同方向に延びる。
【００１９】
縦フィン群２１および横フィン群２２は、レジスタ用リテーナ２０の内部に取り付けられている。縦フィン群２１は、複数の縦フィン２１０と、縦フィン用リンク（図略）とを持つ。各縦フィン２１０は、空気流路上流側上方から空気流路下流側下方に向けて延びる板状をなし、レジスタ用リテーナ２０の上壁と下壁とに枢支されている。また、縦フィン用リンクは縦フィン２１０同士を連結する。縦フィン群２１は、空調用空気の流通方向を左右に調整するための部材である。また、縦フィン用リンクは、各縦フィン２１０を同期して揺動させるための部材である。横フィン群２２は、縦フィン群２１よりも空気流路下流側に配置されている。横フィン群２２は、複数の横フィン２２０と、横フィン用リンク（図略）とを持つ。各横フィン２２０は、左右方向に延びる板状をなし、レジスタ用リテーナ２０の左壁と右壁とに枢支されている。また、横フィン用リンクは横フィン２２０同士を連結する。横フィン群２２は、空調用空気の流通方向を上下に調整するための部材である。また、横フィン用リンクは、各横フィン２２０を同期して揺動させるための部材である。操作ノブ２３は、横フィン２２０の一つである操作横フィン２２０ａにスライド可能に取り付けられるとともに、縦フィン２１０の一つである操作縦フィン２１０ａに揺動可能に取り付けられている。操作ノブ２３は操作横フィン２２０ａに対して左右方向にスライドする。操作縦フィン２１０ａは、操作ノブ２３の左右方向のスライド変位に連動して揺動する。
【００２０】
レジスタ部２は、リテーナ１の内部にスライド可能に保持されている。詳しくは、レジスタ部２は、リテーナ１の延びる方向（すなわち空気流路上流側−空気流路下流側方向）に沿ってスライド変位可能である。
【００２１】
主サポータ３は、枠状（額縁状）をなす枠部３０と、板状をなし枠部３０の左右端部にそれぞれ一体化されている一対の脚部３１とを持ち、全体として枠状をなす。各脚部３１は、リテーナ１の上壁１０１に枢支されている。従って、主サポータ３はリテーナ１に対して回動する。主サポータ３の回動軸には、図略の主サポータ付勢手段が取り付けられている。主サポータ付勢手段はコイルバネからなり、主サポータ３を反時計回り（すなわち、後述する主サポータ３出位置に向けて）付勢する。また、主サポータ３の枠部３０には、主サポータロック手段８が取り付けられている。主サポータロック手段８は、ロック部８０と操作部８１とを持つ。ロック部８０は、２つのロック凸部（図略）を持つ。２つのロック凸部は、リテーナ１の左右側壁にそれぞれ形成されている２つのロック凹部８００と係合可能である。操作部８１は、枠部３０に対して出入可能に取り付けられている。主サポータ３を後述する主サポータ入位置に移動させると、ロック凸部とロック凹部８００とが係合し、主サポータ３は主サポータ入位置にロックされる。操作部８１をロック解除操作すると、ロック凸部とロック凹部８００との係合が解除される。
【００２２】
プロテクタ４は左右方向に延びる板状をなす。図３に示すように、プロテクタ４の一端部はリテーナ１の下壁に枢支されている。詳しくは、プロテクタ４の一端部は、レジスタ部２よりも下側に配置され、ホルダ底壁部１０２の空気流路上流側端部に枢支されている。プロテクタ４はリテーナ１に対して回動する。プロテクタ４の回動軸には、図略のプロテクタ付勢手段が取り付けられている。プロテクタ付勢手段はコイルバネからなり、プロテクタ４を反時計回り（すなわち、後述するプロテクタ出位置に向けて）付勢する。
【００２３】
副サポータ５は、板状をなすサポータ基部５０と、板状をなす副サポート部５１とを持つ。副サポート部５１はサポータ基部５０に枢支され、サポータ基部５０に対して回動する。副サポータ５は、リテーナ１の上壁１０１よりも下側かつレジスタ部２よりも上側に配置されている。副サポータ５は、リテーナ１の内部にスライド可能に保持されている。詳しくは、副サポータ５は、リテーナ１の延びる方向（すなわち空気流路上流側−空気流路下流側方向）に沿ってスライド可能である。副サポート部５１はサポート基部よりも空気流路下流側に配置されている。副サポート部５１の回動軸には、図略の副サポータ付勢手段が取り付けられている。副サポータ付勢手段はコイルバネからなり、副サポート部５１を後述する副サポート部出位置に付勢する。
【００２４】
図３に示すように、第１リンク６は、２つの主サポータ側ラック部６０と、２つのレジスタ側第１ラック部６１と、２つの第１ピニオン部６２とを持つ。主サポータ側ラック部６０は、主サポータ３の各脚部３１にそれぞれ形成されている。詳しくは、主サポータ側ラック部６０は、主サポータ３の回動軸を中心とする弧状をなし、歯列を主サポータ３の回動軸の外周方向に向けている。レジスタ側第１ラック部６１は、レジスタ用リテーナ２０の左側壁下部と右側壁下部とにそれぞれ形成されている。詳しくは、レジスタ側第１ラック部６１は、レジスタ用リテーナ２０の延びる方向に沿って延び、歯列を上方向に向けている。第１ピニオン部６２は、２つのピニオン（主サポータ用ピニオン６２０、レジスタ用ピニオン６２１）が同軸的に一体化されてなる。第１ピニオン部６２は、リテーナ１の左側壁下部と右側壁下部とにそれぞれ軸支されている。各主サポータ用ピニオン６２０は、それぞれ対応する各主サポータ側ラック部６０と噛合する。各レジスタ用ピニオン６２１は、それぞれ対応する各レジスタ側第１ラック部６１と噛合する。主サポータ用ピニオン６２０は、レジスタ用ピニオン６２１よりも小径である。
【００２５】
第２リンク７は、２つのレジスタ側第２ラック部７０と、２つの副サポータ側ラック部７１と、２つの第２ピニオン部７２とを持つ。レジスタ側第２ラック部７０は、レジスタ用リテーナ２０の左側壁上部と右側壁上部とにそれぞれ形成されている。詳しくは、レジスタ側第２ラック部７０は、レジスタ用リテーナ２０の延びる方向に沿って延び、歯列を上方向に向けている。副サポータ側ラック部７１は、サポータ基部５０の左側下部と右側下部とにそれぞれ形成されている。詳しくは、副サポータ側ラック部７１は、レジスタ用リテーナ２０の延びる方向に沿って延び、歯列を下方向に向けている。第２ピニオン部７２は、１つのピニオンからなる。第２ピニオン部７２は、リテーナ１の左側壁上部と右側壁上部とにそれぞれ軸支されている。各第２ピニオン部７２は、それぞれ対応する各レジスタ側第２ラック部７０および副サポータ側ラック部７１と噛合する。
【００２６】
以下、実施例のレジスタ一体型容器ホルダ装置の動作を説明する。
【００２７】
図１および図３に示すホルダ格納状態において、主サポータ３は主サポータ入位置に配置され、レジスタ部２はレジスタ出位置に配置され、プロテクタ４はプロテクタ入位置に配置され、副サポータ５は副サポータ入位置に配置される。
【００２８】
主サポータ入位置において、主サポータ３の枠部３０はベゼル１１の内周側に配置され、空調用空気の吹き出し開口を構成する。またこのとき、主サポータ３は、主サポータロック手段８によって、主サポータ入位置にロックされる。このため、主サポータ３の反時計回りの回動は、主サポータロック手段８によって干渉されている。
【００２９】
レジスタ出位置において、レジスタ部２は、リテーナ１の空気流路下流側端部に配置される。このとき、操作ノブ２３の空気流路下流側端部は、枠部３０よりも空気流路下流側に突出する。
【００３０】
プロテクタ入位置において、プロテクタ４は、回動軸と逆側の端部を空気流路下流側に向けつつ、ホルダ底壁部１０２とレジスタ部２との間隙に配置される。なお、このときプロテクタ４はレジスタ部２に当接しているため、プロテクタ４の反時計回りの回動はレジスタ部２によって干渉されている。
【００３１】
副サポータ入位置において、副サポータ５は、リテーナ１の上壁１０１とレジスタ部２との間隙に配置される。このとき、副サポート部５１の空気流路下流側端部は、レジスタ部２の空気流路下流側端部よりも空気流路上流側に配置される。またこのとき、副サポート部５１は、副サポータ付勢手段に付勢されて、リテーナ１の伸びる方向とほぼ同方向に延びる。
【００３２】
実施例のレジスタ一体型容器ホルダ装置をホルダ格納状態からホルダ使用状態にするときには、主サポータロック手段８の操作部８１をロック解除操作する。すると、ロック凸部とロック凹部８００との係合が解除される。主サポータ３は、主サポータ付勢手段によって付勢されているため、回動軸を中心に反時計回りに回動して主サポータ出位置に配置される。主サポータ出位置において、主サポータ３の枠部３０全体は、リテーナ１よりも空気流路下流側に突出する（図４）。詳しくは、枠部３０は空気流路上流側上方から空気流路下流側下方に向けて僅かに傾斜し、主サポータ３の枠内壁３０ａは略上下方向に延びる。
【００３３】
主サポータ３には主サポータ側ラック部６０が形成され、レジスタにはレジスタ側第１ラック部６１が形成され、主サポータ側ラック部６０とレジスタ側第１ラック部６１とには第１ピニオン部６２が噛合している。したがって、主サポータ３が反時計回りに回動すると、第１ピニオンが時計回りに回転し、レジスタ側第１ラック部６１が左方向（すなわち、空気流路上流側方向）にスライドする。したがって、レジスタ部２もまた空気流路上流側方向にスライドしてレジスタ入位置に配置される。レジスタ部２がレジスタ入位置に配置されると、レジスタ部２はプロテクタ４に当接しなくなり、プロテクタ４の反時計回りの回動を干渉しなくなる。このため、プロテクタ４は反時計回りに回動して、空気流路下流側の端部がレジスタ部２よりも空気流路下流側の上方に突出する、プロテクタ出位置に変位する。なお、このときプロテクタ４は、一般底壁部１０３の空気流路下流側壁面（すなわち、一般底壁部１０３のなかでホルダ底壁部１０２との境界部壁面、段差部分の壁面）に当接して回動を停止する。したがって、一般底壁部１０３の空気流路下流側壁面はプロテクタ４用のストッパとして機能する。
【００３４】
また、レジスタ部２にはレジスタ側第２ラック部７０が形成され、副サポータ５には副サポータ側ラック部７１が形成され、レジスタ側第２ラック部７０と副サポータ側ラック部７１とには第２ピニオン部７２が噛合している。したがって、レジスタ部２が空気流路上流方向にスライドすると、レジスタ側第２ラック部７０が図３中左方向（すなわち空気流路上流側方向）にスライドし、第２ピニオン部７２が時計回りに回転し、副サポータ側ラック部７１が図３中右方向（すなわち空気流路下流側方向）にスライドする。したがって、副サポータ５もまた空気流路下流側方向にスライドして副サポータ出位置に配置される。副サポータ出位置において、サポータ基部５０の空気流路下流側端部と副サポート部５１全体とはリテーナ１よりも空気流路下流側に突出する。
【００３５】
実施例のレジスタ一体型容器ホルダ装置におけるレジスタ部２は、ホルダ使用状態において、空気流路上流側に変位する。このため、ホルダ底壁部１０２（すなわち、リテーナ１の底壁１００のなかで空気流路下流側の部分）は露出する。したがって、このとき実施例のレジスタ一体型容器ホルダ装置は、ホルダ底壁部１０２と、主サポータ３の枠内壁３０ａと、副サポータ５の副サポート部５１と、でホルダ部を形成する。このため、実施例のレジスタ一体型容器ホルダ装置は、ホルダ使用状態において、ホルダ部によって容器を保持できる（図４、図５）。詳しくは、小径の容器９０を保持する場合には、図４に示すように、ホルダ底壁部１０２によって容器９０の底面を支持し、主サポータ３の枠内壁３０ａと副サポータ５の端面とによって容器９０の側面を挟持する。また、大径の容器９１を保持する場合には、図５に示すように、副サポート部５１が時計回りに回動するため、ホルダ底壁部１０２によって容器９１の底面を支持し、主サポータ３の枠内壁３０ａと副サポート部５１の上面とによって容器９１の側面を挟持する。したがって、実施例のレジスタ一体型容器ホルダ装置によると、種々の容器９０、９１を安定に保持できる。
【００３６】
実施例のレジスタ一体型容器ホルダ装置をホルダ使用状態からホルダ格納状態にするときには、枠部３０をリテーナ１方向に押圧して、主サポータ３を時計回りに回動させる。すると、図６に示すように、第１ピニオン部６２が反時計回りに回転し、レジスタ側第１ラック部６１が右方向（すなわち、空気流路下流側方向）にスライドするため、レジスタ部２が空気流路下流側方向にスライドしてレジスタ出位置に配置される。レジスタ部２が空気流路下流方向にスライドすると、レジスタ側第２ラック部７０が右方向（すなわち空気流路下流側方向）にスライドし、第２ピニオン部７２が時計回りに回転し、副サポータ側ラック部７１が左方向（すなわち空気流路上流側方向）にスライドする。したがって、副サポータ５が空気流路上流側方向にスライドして副サポータ入位置に配置される。またこのとき、レジスタ部２はプロテクタ４に当接し、プロテクタ付勢手段の付勢力に抗してプロテクタ４を時計回りに回動させる。したがって、プロテクタ４はプロテクタ入位置に変位する。なお、主サポータ３は、主サポータ入位置に変位すると、主サポータロック手段８によってロックされる。
【００３７】
実施例のレジスタ一体型容器ホルダ装置は、ホルダ使用状態において、リテーナ１の底壁１００の一部からなるホルダ底壁部１０２によって容器９０、９１の底面を支持するため、ホルダ部をリテーナ１の外部に大きく突出させなくても容器９０、９１を保持できる。よって、実施例のレジスタ一体型容器ホルダ装置は、狭い空間に配設できる。
【００３８】
また、実施例のレジスタ一体型容器ホルダ装置は、ホルダ使用状態において、レジスタ部２とホルダ部との間にプロテクタ４が介在する。このため、レジスタ部２を空気流路上流側に大きく変位させなくても、容器９０、９１とレジスタ部２との当接を抑制できる。
【００３９】
また、実施例のレジスタ一体型容器ホルダ装置における主サポータ３は、ホルダ格納状態（主サポータ３が主サポータ入位置に移動した状態）において、空調用空気の吹き出し開口を構成するため、ホルダ格納状態におけるレジスタ一体型容器ホルダ装置の外形を小さくできる。また、主サポータ３は主サポータ入位置と主サポータ出位置との間を回動するため、ホルダ格納状態におけるレジスタ一体型容器ホルダ装置の外形を小さくしても、ホルダ使用状態におけるホルダ部の大きさを大きくできる。このため、実施例のレジスタ一体型容器ホルダ装置は、狭い空間に配設でき、かつ、容器を安定に保持できる。
【００４０】
また、実施例のレジスタ一体型容器ホルダ装置は主サポータ３と副サポータ５とで容器９０、９１の側面を挟持するため、容器９０、９１を安定に保持できる。また、副サポータ５はホルダ格納状態において空気流路上流側に変位するため、ホルダ格納状態におけるレジスタ一体型容器ホルダ装置の外形を小さくできる。このことによっても、実施例のレジスタ一体型容器ホルダ装置は、狭い空間に配設でき、かつ、容器９０、９１を安定に保持できる。
【００４１】
なお、実施例のレジスタ一体型容器ホルダ装置における主サポータ３は、主サポータ入位置と主サポータ出位置の間を回動するが、本発明のレジスタ一体型容器ホルダ装置における主サポータ３の変位方法はこれに限定されない。例えば、主サポータ３は主サポータ入位置と主サポータ出位置の間をスライドしても良い。この場合には、副サポータ５は主サポータ３に一体化しても良い。副サポータ５およびプロテクタ４も同様に、回動しても良いしスライドしても良いし、その他の方法で変位しても良い。
【００４２】
実施例のレジスタ一体型容器ホルダ装置における主サポータ３は額縁状をなすが、本発明のレジスタ一体型容器ホルダ装置における主サポータ３は枠状をなせばよく、例えば、コ字状やＬ字状をなしても良い。
【００４３】
実施例のレジスタ一体型容器ホルダ装置における主サポータ３とレジスタ部２と副サポータ５とはラックアンドピニオン機構で連動しているが、本発明のレジスタ一体型容器ホルダ装置においては、これらの連動機構はラックアンドピニオン機構に限定されない。
【図面の簡単な説明】
【００４４】
【図１】実施例のレジスタ一体型容器ホルダ装置を模式的に表す斜視図である。
【図２】実施例のレジスタ一体型容器ホルダ装置を模式的に表す斜視図である。
【図３】実施例のレジスタ一体型容器ホルダ装置の動作を説明する説明図である。
【図４】実施例のレジスタ一体型容器ホルダ装置の動作を説明する説明図である。
【図５】実施例のレジスタ一体型容器ホルダ装置の動作を説明する説明図である。
【図６】実施例のレジスタ一体型容器ホルダ装置の動作を説明する説明図である。
【符号の説明】
【００４５】
１：リテーナ                  ２：レジスタ部                ３：主サポータ
４：プロテクタ                ５：副サポータ                ３０：枠部
３０ａ：主サポータの枠内壁    １０２：ホルダ底壁部
【図１】
0004978798.tif 000002
【図２】
0004978798.tif 000003
【図３】
0004978798.tif 000004
【図４】
0004978798.tif 000005
【図５】
0004978798.tif 000006
【図６】
0004978798.tif 000007